(57)【要約】【課題】財布をポケットに入れるだけで、簡単に覆うことができるポケットカバーを提供すること。【解決手段】パンツ類２００の後部に、縫合部分１０で縫い付けられたポケットカバー４０の裏側には、面ファスナー６０が縫い付けられており、また、ポケット５０の外側の表地には、面ファスナー７０が縫い付けられている。縫合部分１０は、パンツ類２００、ポケットカバー４０と同色系の糸を使用しており、ポケットカバー４０を開いた状態でも目立たないようになっている。また、面ファスナー６０及び面ファスナー７０も、パンツ類２００、ポケットカバー４０と同色系の糸で縫い付けられており目立たないようになっている。【選択図】図３
0003146277.tif 000002
【実用新案登録請求の範囲】
【請求項１】
後部に、上向きの開口部を備えたポケットが設けられているズボンなどのパンツ類において、
前記ポケットの内容物が当該ポケットより突出する箇所を覆うカバー部分と、
前記ポケットの開口部の上部に位置し、当該ポケットを覆う前記カバー部分とパンツ類を縫合している縫合部分と、
前記カバー部分のポケットに接する側の面と、ポケットの外側の面とを互いに接合する面ファスナー部分と、を備えたことを特徴とするポケットカバー。
【考案の詳細な説明】
【技術分野】
【０００１】
本考案は、盗難・紛失防止のためのパンツ類の後ろポケットのカバーに関する。
【背景技術】
【０００２】
今日、街中で、ズボン、ジーンズ等のパンツ類の後ろポケットに、財布や車の鍵、さらには携帯電話などの貴重品をはみ出した状態で歩いている人がいる。外出の際には、ハンドバッグを持つ習慣のある女性よりも、手ぶらで出かける傾向のある男性に多い。
このような行動は、スリによる財布の盗難、貴重品類の紛失などのリスクを伴い、また、個人情報の流出の可能性もあり、危険である。
そこで、盗難・紛失防止のため、ポケットにカバーを付けることが種々提案されてきた。例えば、特許文献１には、取り付け部分と覆い片と帯状部分とで後ろポケットの内部に、財布を収納保持し、覆い片と帯状部分の先端との結合状態を解除することにより、財布を引き出すことができるものが開示されている。
【特許文献１】実開平６−４６５２１
【考案の開示】
【考案が解決しようとする課題】
【０００３】
ところで、特許文献１記載の技術では、財布を収納する際に、財布カバーの帯状部分を財布と共にポケットに収納して財布を帯状部分に載せる手間が必要であった。
そこで、本考案の目的は、財布をポケットに入れるだけで、簡単に覆うことができるポケットカバーを提供することである。
【課題を解決するための手段】
【０００４】
請求項１記載の発明では、後部に上向きの開口部を備えたポケットが設けられているズボンなどのパンツ類において、前記ポケットの内容物が当該ポケットより突出する箇所を覆うカバー部分と、前記ポケットの開口部の上部に位置し、当該ポケットを覆う前記カバー部分とパンツ類を縫合している縫合部分と、前記カバー部分のポケットに接する側の面と、ポケットの外側の面とを互いに接合する面ファスナー部分とを備えたことを特徴とし、前記目的を達成する。
【考案の効果】
【０００５】
本考案では、パンツ類の後ろポケットにカバーを付けて、財布の盗難・紛失などのリスクを回避する。
【考案を実施するための最良の形態】
【０００６】
本考案の好適な実施の形態を図１から図３を参照して、詳細に説明する。
図１は、ズボンやジーンズなどのパンツ類２００の後部を示した図面である。
パンツ類２００の後部には、上向きの開口部を備えたポケット５０が設けられている。  そのポケット５０の内部には財布３０が入っており、財布３０の上部がポケット５０からはみ出している。その財布３０のポケット５０からはみ出した部分に、ポケットカバー４０が覆い被さっており、面ファスナーでとまっている。外観上、面ファスナーはポケットカバー４０の裏側に隠れているので、目立たないようになっている。
ポケット５０は、深さ１７ｃｍ、幅１３．５ｃｍである。また、ポケットカバー４０のサイズは、縦９．７ｃｍ、そのうち、縫い代部分が０．７ｃｍ、横８ｃｍである。縫い代部分は折り曲げてあるので、外観上のポケットカバーの縦のサイズは、９ｃｍとなる。
財布３０は長財布であり、サイズは９ｃｍ×１９ｃｍである。
【０００７】
図２は、図１におけるＡ部を示しており、パンツ類２００の後部にあるポケット５０周囲の拡大図である。
ポケット５０の内部には財布３０が入っており、財布３０の上部がポケット５０からはみ出している。パンツ類２００の後部にあるポケット５０の上部に、図３で示す縫合部分１０で縫い付けられたポケットカバー４０があり、財布３０のポケット５０からはみ出した部分に覆い被さり、面ファスナーでとまっている。
縫合部分１０は、外観上ポケットカバー４０の裏側に隠れているので、目立たないようになっている。
また、ポケットカバー４０は、後付けしたポケットカバーには見えないように、パンツ類２００と同じ布で作る工夫がしてあり、そのうえ、裏地も付いているので丈夫である。
さらに、ポケットカバー４０を閉じた状態での最上部の１辺を直線上に伸ばすと、ベルト通し１５の下のライン、つまりは、ほぼウエストラインと同じ高さになり、ベルト通し１５の下のラインからポケット５０の底部ラインまでの長さａの物を最大限入れることができ、長財布である財布３０はもちろん挿入可能である。
【０００８】
図３は、図１におけるＡ部を示しており、図２から展開した、ポケットカバー４０とポケット５０との面ファスナーを外した状態でのポケット５０周囲の拡大図である。
パンツ類２００の後部に、縫合部分１０で縫い付けられたポケットカバー４０の裏側には、面ファスナー６０が縫い付けられており、また、ポケット５０の外側の表地には、面ファスナー７０が縫い付けられている。
縫合部分１０は、パンツ類２００、ポケットカバー４０と同色系の糸を使用しており、ポケットカバー４０を開いた状態でも目立たないようになっており、そのうえ、強度を高めた縫合を行っているので丈夫である。また、面ファスナー６０及び面ファスナー７０も、パンツ類２００、ポケットカバー４０と同色系の糸で縫い付けられており、目立たないようになっている。
面ファスナー６０のサイズは、縦５ｃｍ、横７．５ｃｍになっており、ポケットカバー４０のほぼ半分を占める。面ファスナー７０のサイズは、縦２．５ｃｍ、横７．５ｃｍになっており、面ファスナー６０の約半分のサイズになっている。面ファスナー６０、面ファスナー７０共に、ポケットカバー４０を閉じた状態では隠れて見えないようになっている。
【０００９】
その他の実施例として、ズボンやジーンズなどのパンツ類でなくても、ジャケット類でも同様にカバーのない形態のポケットが付いていれば、使用することが可能である。
また、本実施例では、防犯と簡易性の兼ね合いを重要視したうえで、面ファスナーを使用している。例えば、面ファスナーの使用回数・頻度増加による疲弊度合い、及び防犯性をより考慮した場合、ファスナー等を利用して、完全にポケットの中に入れた物を覆うこともできる。
さらに、このポケットカバーには刺繍を入れることが可能であり、各個人の嗜好に合ったデザインで仕上げることができる。
【図面の簡単な説明】
【００１０】
【図１】パンツ類の後部を表した説明図である。
【図２】パンツ類後部にあるポケットの周囲の拡大図である。
【図３】ポケットカバーの面ファスナーを外した状態でのポケットの周囲の拡大図である。
【符号の説明】
【００１１】
１０  縫合部分
１５  ベルト通し
３０  財布
４０  ポケットカバー
５０  ポケット
６０，７０  面ファスナー
２００  パンツ類
【図１】
0003146277.tif 000003
【図２】
0003146277.tif 000004
【図３】
0003146277.tif 000005